(57)【要約】      （修正有）【課題】利用者の利便性を低下させることなく、処理効率の向上を図ることができる券売機を提供する。【解決手段】券売機１は、設置された設置駅を乗車駅とするキップを発券する。乗車券テーブル記憶部２ａは、発券するキップの種類を示す券種コードと、発券金額とを対応付けて登録した乗車券テーブルを記憶する。光学読取ユニット９は、キップ購入補助プレートに記録されている券種コードを読み取る。発券ユニット５は、光学読取ユニット９がキップ購入補助プレートから読み取った券種コードに応じたキップを発券する。【選択図】図１
2018169796.tif 000002
【特許請求の範囲】
【請求項１】
設置された設置駅を乗車駅とする乗車券を発券する券売機において、
発券する前記乗車券の種類を示す券種コードと、発券金額とを対応付けて登録した乗車券テーブルを記憶する記憶部と、
媒体に記録されている前記券種コードを読み取る券種コード読取部と、
前記券種コード読取部が前記媒体から読み取った前記券種コードに応じた前記乗車券を発券する発券部と、を備えた券売機。
【請求項２】
前記券種コードは、降車駅を示す降車駅コードを含まない、請求項１に記載の券売機。
【請求項３】
媒体は、前記券種コードとともに、使用駅を示す使用駅コードを記憶し、
前記発券部は、前記券種コード読取部が前記媒体から読み取った前記使用駅コードが示す使用駅が設置駅でなければ、当該媒体から読み取った前記券種コードに応じた前記乗車券の発券を行わない、請求項１、または２に記載の券売機。
【請求項４】
媒体は、前記券種コードとともに、使用駅を示す使用駅コードを記憶し、
前記券種コード読取部が前記媒体から読み取った前記使用駅コードが示す使用駅が設置駅でなければ、当該使用駅が設置駅である券売機での、前記券種コード読取部が前記媒体から読み取った券種コードが示す乗車券の発券金額を取得する他駅発券金額取得部と、
前記券種コード読取部が前記媒体から読み取った前記使用駅コードと、前記他駅発券金額取得部が取得した発券金額とを用いて、降車駅を推定する降車駅推定部と、を備え、
前記発券部は、前記降車駅推定部が推定した降車駅であって、選択された降車駅までの前記乗車券を発券する、請求項１、または２に記載の券売機。
【請求項５】
前記券種コードは、降車駅の社線を示す社線コードを含み、
前記降車駅推定部は、前記社線コードが示す社線の駅であることを条件にして、降車駅を推定する、請求項４に記載の券売機。
【請求項６】
前記券種コード読取部は、前記媒体に記録されている前記券種コードを光学的に読み取る、請求項１〜５のいずれかに記載の券売機。
【発明の詳細な説明】
【技術分野】
【０００１】
この発明は、設置された設置駅を乗車駅とする乗車券を発券する技術に関する。
【背景技術】
【０００２】
従来、駅には、乗車券としてキップを発券する券売機が設置されている。券売機は、設置されている駅（自駅）を乗車駅としたキップを発券する。利用者は、降車駅までの運賃を運賃表示板等で確認し、確認した運賃に応じた発券金額のキップを券売機で購入する。
【０００３】
また、２次元バーコード（例えば、ＱＲコード（登録商標））を光学的に読み取り、読み取った情報に降車駅を示す降車駅情報が含まれていれば、自駅から降車駅（光学的に読み取った降車駅情報が示す降車駅）までのキップを発券する券売機もある（特許文献１参照）。
【０００４】
この特許文献１に記載された券売機は、運賃表示板等で降車駅までの運賃を利用者に確認させる必要をなくすことによって、利用者の利便性の向上を図ったものである。利用者は、降車駅情報が含まれている２次元バーコードを事前に取得しておくことによって、運賃表示板等で降車駅までの運賃を確認することなく、キップを購入することができる。
【先行技術文献】
【特許文献】
【０００５】
【特許文献１】特開２０１３−１５２６５１号公報
【発明の概要】
【発明が解決しようとする課題】
【０００６】
しかしながら、特許文献１等に記載された構成の券売機は、自駅を乗車駅とし、２次元バーコードから読み取った降車駅情報が示す降車駅までのルートを検索し、検索したルートにおける運賃を算出する構成であった。このため、特許文献１等に記載された構成の券売機は、自駅から読み取った降車駅までのルートの検索や、検索したルートにおける運賃の算出に要する処理時間が必要になるので、処理効率（発券効率）を低下させるという問題があった。
【０００７】
この発明の目的は、利用者の利便性を低下させることなく、処理効率の向上を図ることができる技術を提供することにある。
【課題を解決するための手段】
【０００８】
この発明の券売機は、上記目的を達成するため、以下のように構成している。
【０００９】
記憶部は、発券する乗車券の種類を示す券種コードと、発券金額とを対応付けて登録した乗車券テーブルを記憶する。券種コード読取部は、媒体に記録されている券種コードを読み取る。券種コード読取部は、例えば、券種コードがバーコードで記録された媒体であれば、媒体に記録されている券種コード（バーコード）を光学的に読み取る。また、券種コード読取部は、例えば、券種コードをメモリに記録した非接触媒体であれば、媒体に記録されている券種コードを無線通信により読み取る。そして、発券部が、券種コード読取部が前記媒体から読み取った券種コードに応じた乗車券を発券する。
【００１０】
このように、券売機は、媒体から読み取った券種コードに応じた乗車券を発券部で発券するので、自駅から降車駅までのルートの検索や、検索したルートにおける運賃の算出を行う必要がない。したがって、利用者の利便性を低下させることなく、処理効率（発券効率）の向上を図ることができる。
【００１１】
また、上記の構成であれば、券種コードに、降車駅を示す降車駅コードを含ませる必要もない。
【００１２】
また、媒体は、券種コードとともに、使用駅を示す使用駅コードを記憶するものとしてもよい。この場合、発券部は、券種コード読取部が媒体から読み取った使用駅コードが示す使用駅が設置駅でなければ、当該媒体から読み取った券種コードに応じた乗車券の発券を行わない。これにより、使用駅が異なる媒体が誤って使用されたときに、不適正な乗車券（利用者が購入を希望していない乗車券）を発券するのを防止できる。
【００１３】
また、媒体が券種コードとともに、使用駅を示す使用駅コードを記憶する場合、券種コード読取部が媒体から読み取った使用駅コードが示す使用駅が設置駅でなければ、当該使用駅が設置駅である券売機での、券種コード読取部が媒体から読み取った券種コードが示す乗車券の発券金額を他駅発券金額取得部で取得し、券種コード読取部が媒体から読み取った使用駅コードと、他駅発券金額取得部が取得した発券金額とを用いて、他駅発券金額取得部で降車駅を推定する構成にしてもよい。この場合、発券部は、降車駅推定部が推定した降車駅であって、選択された降車駅までの乗車券を発券すればよい。このように構成すれば、使用駅が異なる媒体が誤って使用されたときに、不適正な乗車券（利用者が購入を希望していない乗車券）を発券するのを防止できるだけでなく、適正な乗車券（利用者が購入を希望している乗車券）を発券することができる。
【００１４】
また、券種コードが、降車駅の社線を示す社線コードを含んでいれば、降車駅推定部は、社線コードが示す社線の駅であることを条件にして、降車駅を推定すればよい。
【発明の効果】
【００１５】
この発明によれば、利用者の利便性を低下させることなく、処理効率の向上を図ることができる。
【図面の簡単な説明】
【００１６】
【図１】この例にかかる券売機の主要部の構成を示すブロック図である。
【図２】この例にかかる券売機の外観を示す概略図である。
【図３】乗車券テーブルを示す図である。
【図４】図４（Ａ）、（Ｂ）は、キップ購入補助プレートを示す図である。
【図５】キップ購入補助プレートが使用された場合における、キップの発券処理を示すフローチャートである。
【図６】別の例にかかる券売機の主要部の構成を示すブロック図である。
【図７】別の例にかかるキップ購入補助プレートが使用された場合における、キップの発券処理を示すフローチャートである。
【発明を実施するための形態】
【００１７】
以下、この発明の実施形態である券売機について説明する。
【００１８】
図１は、この例にかかる券売機の主要部の構成を示すブロック図である。また、図２は、この例にかかる券売機の外観を示す概略図である。この例にかかる券売機１は、制御ユニット２と、表示ユニット３と、操作ユニット４と、発券ユニット５と、硬貨処理ユニット６と、紙幣処理ユニット７と、カード処理ユニット８と、光学読取ユニット９と、通信ユニット１０と、を備えている。表示ユニット３、操作ユニット４、発券ユニット５、硬貨処理ユニット６、紙幣処理ユニット７、カード処理ユニット８、光学読取ユニット９、および通信ユニット１０は、信号の伝送路であるケーブル等で制御ユニット２に接続されている。券売機１は、駅に設置され、設置されている駅（自駅）を乗車駅としたキップを発券する。券売機１は、キップ以外の乗車券（回数券や定期券等）を発券する機能を有していてもよいし、有していなくてもよい。
【００１９】
制御ユニット２は、券売機１本体が備える各ユニットを制御する。また、制御ユニット２は、図３に示す乗車券テーブル２０を記憶する乗車券テーブル記憶部２ａを有している。乗車券テーブル記憶部２ａは、制御ユニット２が有する不揮発性のメモリ（不図示）等によって構成される。乗車券テーブル２０は、乗車券として発券するキップの種類を示す券種コードと、発券金額とを対応付けて登録したものである。乗車券テーブル記憶部２ａが、この発明で言う記憶部に相当する。
【００２０】
利用者は、乗車駅から降車駅までの運賃に相当する発券金額のキップを購入する。鉄道会社は、運賃を、乗車駅から降車駅までの距離によって定めているのが一般的である。運賃は、営業キロを区分した区間毎に定めている。また、キップには、乗換駅で他社線に乗り換えることができる乗換キップと、他社線に乗り換えることができないキップ（ここでは、非乗換キップと言う。）と、がある。非乗換キップは、発券金額に関係なく、乗換駅で他社線に乗り換えることができない（自動改札機が、利用者が自社線の乗換駅から出場するときに非乗換キップ回収したり、利用者が他社線の乗換駅で入場するときに改札通路の通行を制限したりする。）。図３に示す乗車券テーブル２０の券種コードは、降車駅の社線を示す社線コードを含むことにより、乗換キップと非乗換キップとを区別している。一方、券種コードは、乗車駅を示す乗車駅コード、および降車駅を示す降車駅コードを含ませていない。すなわち、券種コードによって、乗車駅、および降車駅を判断することはできない。
【００２１】
なお、券売機１は、設置されている駅に応じた乗車券テーブル２０を乗車券テーブル記憶部２ａに記憶している。言い換えれば、乗車券テーブル２０は、駅毎に作成されたものである。
【００２２】
表示ユニット３は、本体正面に設けた表示器３ａを有する。表示ユニット３は、この表示器３ａの画面表示を制御する。
【００２３】
操作ユニット４は、表示器３ａの画面上に貼付したタッチパネル４ａを有する。操作ユニット４は、タッチパネル４ａにおける利用者の入力操作（利用者が指で押下したタッチパネル４ａ上の押下位置）を検出する。利用者は、操作ユニット４において、購入する乗車券の券種コード等を券売機１本体に入力する操作を行う。また、操作ユニット４は、入力デバイスとして押し釦スイッチも備えている。
【００２４】
発券ユニット５は、キップを発券する処理を行う。券売機１には、本体正面に発券口５ａが設けられている。発券ユニット５は、利用者に対して発券するキップを発券口５ａに放出する。発券ユニット５が、この発明で言う発券部に相当する。
【００２５】
また、券売機１には、本体正面に硬貨投入口６ａ、および釣銭硬貨受皿６ｂが設けられている。利用者は、乗車券の発券等にかかる取引金額の精算に用いる硬貨を硬貨投入口６ａに投入する。硬貨処理ユニット６は、利用者が硬貨投入口６ａに投入した硬貨を受け付ける。また、硬貨処理ユニット６は、利用者に対して返却するつり銭等にかかる硬貨を釣銭硬貨受皿６ｂに放出する。硬貨投入口６ａは、複数枚（２〜３枚程度）の硬貨が重なった状態であっても、券売機１本体に投入できる形状である。硬貨処理ユニット６は、利用者が投入した硬貨や、利用者に対して釣銭等として放出する釣銭硬貨について、金種や真偽を識別する硬貨識別部を有している。
【００２６】
また、券売機１には、本体正面に紙幣投入口７ａ、および紙幣放出口７ｂが設けられている。利用者は、乗車券の発券等にかかる取引金額の精算に用いる紙幣を紙幣投入口７ａに投入する。紙幣処理ユニット７は、利用者が紙幣投入口７ａに投入した紙幣を受け付ける。また、紙幣処理ユニット７は、利用者に対して返却するつり銭にかかる紙幣を紙幣放出口７ｂに放出する。紙幣処理ユニット７は、利用者が投入した紙幣や、利用者に対して釣銭として放出する紙幣について、金種や真偽を識別する紙幣識別部を有している。
【００２７】
また、券売機１には、本体正面にカード挿入／放出口８ａが設けられている。カード処理ユニット８は、カード挿入／放出口８ａに挿入されたＳＦカード（Stored Fare Card）に対してチャージ等にかかる処理を行う。また、カード処理ユニット８は、カード挿入／放出口８ａに挿入されたクレジットカードで、キップ等の乗車券の発券金額を決済するクレジット処理機能を有していてもよい。
【００２８】
光学読取ユニット９は、２次元バーコード（例えば、ＱＲコード（登録商標））を光学的に読み取り、読み取った２次元バーコードが示す情報を制御ユニット２に出力する。光学読取ユニット９は、券売機１本体正面に設けた読取エリア９ａに翳された２次元バーコードを光学的に読み取る。光学読取ユニット９が、この発明で言う券種コード読取部に相当する。
【００２９】
通信ユニット１０は、図示していない上位装置、自動改札機、他の券売機１等との間における通信を制御する。
【００３０】
また、設置されている券売機１の近くに、図４に示すキップ購入補助プレート３０（３０ａ、３０ｂ）が置かれている。図４（Ａ）は、○○○駅までのキップの購入に使用するキップ購入補助プレート３０ａであり、図４（Ｂ）は、×××駅までのキップの購入に使用するキップ購入補助プレート３０ｂである。キップ購入補助プレート３０（３０ａ、３０ｂ）には、降車駅の駅名（○○○駅、×××駅）、降車駅近くの観光スポットのイラスト、および２次元バーコード３１（３１ａ、３１ｂ）が描かれている。２次元バーコード３１（３１ａ、３１ｂ）が示す情報には、キップ購入補助プレート３０（３０ａ、３０ｂ）の使用駅を示す使用駅コード、およびキップの券種コードが含まれている。２次元バーコード３１（３１ａ、３１ｂ）が示す情報に含まれている券種コードは、使用駅に設置されている券売機１が乗車券テーブル記憶部２ａに記憶している乗車券テーブル２０に応じた券種コードである。言い換えれば、２次元バーコード３１（３１ａ、３１ｂ）が示す情報に含まれている券種コードは、使用駅以外の駅に設置されている券売機１が乗車券テーブル記憶部２ａに記憶している乗車券テーブル２０に応じた券種コードではない。すなわち、２次元バーコード３１（３１ａ、３１ｂ）が示す情報に含まれている券種コードは、使用駅に設置されている券売機１において、使用駅を乗車駅とし、キップ購入補助プレート３０（３０ａ、３０ｂ）に描かれている降車駅まで乗車する利用者が購入するキップの種類を示すものである。キップ購入補助プレート３０は、例えば券売機１に紐や鎖で連結しておいてもよい。キップ購入補助プレート３０（３０ａ、３０ｂ）が、この発明で言う媒体に相当する。
【００３１】
なお、図４では、２種類のキップ購入補助プレート３０を例示しただけであり、キップ購入補助プレート３０が券売機１の近くに２種類しか置かれていないという意味ではない。
【００３２】
次に、この券売機１におけるキップの発券動作について説明する。図５は、キップ購入補助プレートが使用された場合における、キップの発券処理を示すフローチャートである。
【００３３】
なお、この券売機１は、表示ユニット３が発券可能なキップの種類別に選択ボタン（金額ボタン）を表示器３ａの画面に表示し、操作ユニット４が表示器３ａの画面上において利用者が押下した選択ボタンをタッチパネル４ａで検出し、発券ユニット５が操作ユニット４において検出された選択ボタンに応じた券種コードのキップを発券する、公知の発券処理も行えるが、この発券処理についてはここでは説明を省略する。また、券売機１は、カード挿入／放出口８ａに挿入されたＳＦカード（Stored Fare Card）に対してチャージ等にかかる公知のカード処理も行えるが、このカード処理についてもここでは説明を省略する。
【００３４】
キップ購入補助プレート３０を使用して券売機１でキップを購入する利用者は、券売機１の近くに置かれているキップ購入補助プレート３０の中から、該当する降車駅のキップ購入補助プレート３０をみつける。例えば、○○○駅に行きたい利用者は、図４（Ａ）に示したキップ購入補助プレート３０ａをみつけ、×××駅に行きたい利用者は、図４（Ｂ）に示したキップ購入補助プレート３０ａをみつける。上述したように、キップ購入補助プレート３０には、降車駅の駅名、および観光スポットのイラストが描かれているので、利用者は、券売機１の近くに置かれているキップ購入補助プレート３０の中から、該当する降車駅のキップ購入補助プレート３０を簡単にみつけることができる。利用者は、みつけたキップ購入補助プレート３０に描かれている２次元バーコードを読取エリア９ａに翳す。
【００３５】
券売機１は、光学読取ユニット９が読取エリア９ａに翳された２次元バーコードを光学的に読み取り、この２次元バーコードが示す情報を取得する（ｓ１）。光学読取ユニット９は、今回光学的に読み取った２次元バーコードが示す情報を制御ユニット２に通知する。
【００３６】
制御ユニット２は、光学読取ユニット９が今回光学的に読み取った２次元バーコードが示す情報に含まれている使用駅を示す使用駅コードによって、使用駅が自駅であるかどうかを判定する（ｓ２）。制御ユニット２は、自駅の駅コードをメモリに記憶している。制御ユニット２は、ｓ２で使用駅が自駅でないと判定すると、エラー処理を行い（ｓ６）、ｓ１に戻る。ｓ６では、例えば、表示ユニット３が「使用されたキップ購入補助プレート３０は他駅のものであり、当駅では使用できません。」という案内メッセージを表示器３ａに表示し、今回使用したキップ購入補助プレート３０が他駅のものであることを、利用者に認識させる出力を行う。また、駅係員等に対して、他駅のキップ購入補助プレート３０が置かれていることを通知する出力を行ってもよい。
【００３７】
制御ユニット２は、ｓ２で使用駅が自駅であると判定すると、乗車券テーブル記憶部２ａに記憶している乗車券テーブル２０を参照し、光学読取ユニット９が今回光学的に読み取った２次元バーコードが示す情報に含まれている券種コードのキップの発券金額を取得する（ｓ３）。表示ユニット３は、ｓ３で取得されたキップの発券金額を決済する貨幣の投入を利用者に促す画面を表示器３ａに表示する。このとき、表示器３ａには、発券金額が表示される。制御ユニット２は、硬貨処理ユニット６、および紙幣処理ユニット７において、利用者がキップの発券金額を決済する貨幣を投入するのを待つ（ｓ４）。
【００３８】
利用者が、キップの発券金額を決済する貨幣を硬貨投入口６ａや紙幣投入口７ａに投入すると（利用者が発券金額以上の貨幣を投入すると、）、発券ユニット５が、光学読取ユニット９が今回光学的に読み取った２次元バーコードが示す情報に含まれている券種コードに対応するキップを発券するとともに、硬貨処理ユニット６、および紙幣処理ユニット７が必要に応じてつり銭を放出し（ｓ５）、ｓ１に戻る。発券ユニット５は、発券口５ａにキップを放出する。硬貨処理ユニット６は、つり銭にかかる硬貨を、釣銭硬貨受皿６ｂに放出する。また、紙幣処理ユニット７は、つり銭にかかる紙幣を紙幣放出口７ｂに放出する。
【００３９】
このように、この例にかかる券売機１では、利用者は券売機１の近くに置かれているキップ購入補助プレート３０の中から、該当する降車駅のキップ購入補助プレート３０をみつけ、みつけたキップ購入補助プレート３０に描かれている２次元バーコード３１を光学読取ユニット９の読取エリア９ａに翳すことによって、購入するキップの選択が行える。
【００４０】
また、券売機１は、自駅から降車駅までのルートを検索し、検索したルートにおける運賃（キップの発券金額）を算出する構成ではなく、乗車券テーブル記憶部２ａに記憶している乗車券テーブル２０を参照して発券金額を取得する構成であるので、利用者の利便性を低下させることなく、処理効率（発券効率）の向上を図ることができる。
【００４１】
また、券種コードには、降車駅の社線を示す社線コードが含まれている。すなわち、券種コードによって、非乗換キップと、乗換キップとが区別されている。したがって、非乗換キップと、乗換キップの発券金額が同じであっても、利用者に対して誤った券種のキップを発券することもない（非乗換キップを購入したい利用者に対して乗換キップを発券したり、乗換キップを購入したい利用者に対して非乗換キップを発券したりすることはない。）。
【００４２】
次に、別の例にかかる券売機１Ａについて説明する。図６は、この別の例にかかる券売機の主要部の構成を示すブロック図である。図６では、図１に示した構成と同じ構成については、同じ符号を付している。この例にかかる券売機１Ａは、制御ユニット２が、降車駅推定部２ｂを有している点で、上記例の券売機１と相違する。
【００４３】
降車駅推定部２ｂは、使用駅が自駅でないキップ購入補助プレート３０の２次元バーコード３１を読み取ったときに、降車駅を推定する機能である。
【００４４】
この例にかかる券売機１Ａも、上述したキップ購入補助プレート３０を使用してキップを購入することができる。また、券売機１Ａも、上記した券売機１と同様に、表示ユニット３が発券可能なキップの種類別に選択ボタンを表示器３ａの画面に表示し、操作ユニット４が表示器３ａの画面上において利用者が押下した選択ボタンをタッチパネル４ａで検出し、発券ユニット５が操作ユニット４において検出された選択ボタンに応じた券種コードのキップを発券する、公知の発券処理が行える。また、券売機１Ａは、カード挿入／放出口８ａに挿入されたＳＦカード（Stored Fare Card）に対してチャージ等にかかる公知のカード処理も行える。
【００４５】
図７は、キップ購入補助プレートが使用された場合における、キップの発券処理を示すフローチャートである。図７では、上記した図５と同じ処理については、同じステップ番号を付している。この例にかかる券売機１Ａも、上記した例の券売機１と同様に、ｓ１〜ｓ５の処理を行う。この例にかかる券売機１Ａは、ｓ２でキップ購入補助プレート３０の使用駅が自駅でないと判定すると、ｓ６にかかるエラー処理を行うのではなく、以下に示すｓ１１〜ｓ１６にかかる処理を行い、その後、ｓ３以降の処理を行う点で相違する。
【００４６】
制御ユニット２は、ｓ２でキップ購入補助プレート３０の使用駅が自駅でないと判定すると、このキップ購入補助プレート３０の使用駅に設置されている券売機１Ａが記憶する乗車券テーブル２０を取得する（ｓ１１）。ｓ１１では、通信ユニット１０において、駅毎に、その駅に設置されている券売機１Ａが記憶する乗車券テーブル２０を管理しているサーバ等と通信し、今回使用されたキップ購入補助プレート３０の使用駅に設置されている券売機１Ａが記憶する乗車券テーブル２０を取得する。また、通信ユニット１０において、キップ購入補助プレート３０の使用駅に設置されている券売機１Ａと通信し、その券売機１Ａが記憶する乗車券テーブル２０を取得してもよい。
【００４７】
制御ユニット２は、降車駅推定部２ｂが、降車駅の社線を取得する（ｓ１２）。上述したように、キップ購入補助プレート３０に描かれている２次元バーコード３１が示す情報に含まれている券種コードには、降車駅の社線を示す社線コードが含まれている。したがって、降車駅推定部２ｂは、光学読取ユニット９が今回光学的に読み取った２次元バーコード３１が示す情報に含まれている券種コードから、降車駅の社線を取得できる。
【００４８】
なお、ｓ１１とｓ１２は、上記と逆の順番で行ってもよい。
【００４９】
降車駅推定部２ｂは、光学読取ユニット９が今回光学的に読み取った２次元バーコードが示す情報に含まれている使用駅を乗車駅とし、降車駅を推定する（ｓ１３）。例えば、ｓ１３では、降車駅推定部２ｂは、ｓ１１で取得した乗車券テーブル２０を用いて、光学読取ユニット９が今回光学的に読み取った２次元バーコードが示す情報に含まれている券種コードのキップの発券金額を取得する。また、降車駅推定部２ｂは、今回光学的に読み取った２次元バーコードが示す情報に含まれている使用駅コードが示す使用駅が乗車駅である場合、取得した発券金額のキップで降車できる駅を抽出する。そして、降車駅推定部２ｂは、抽出した駅の中から、ｓ１２で取得した社線の駅を再抽出し、ここで抽出された駅を降車駅と推定する。ｓ１３で推定される降車駅は、１つである場合もあれば、複数である場合もある。
【００５０】
なお、この例では、ｓ１１で乗車券テーブル２０を取得するとしたが、該当する券種のキップの発券金額（ｓ１３で降車駅を推定するときに用いる発券金額）を取得するだけでもよい。
【００５１】
表示ユニット３が、ｓ１３で推定した降車駅を表示器３ａに一覧で表示する（ｓ１４）。このとき、表示ユニット３は、ｓ１３で推定した降車駅の中から、所望の降車駅の選択を利用者に促すメッセージを表示器３ａに表示する。制御ユニット２は、利用者が降車駅を選択するのを待つ（ｓ１５）。操作ユニット４が、利用者による降車駅の選択操作を検知し、利用者が選択した降車駅を制御ユニット２に通知する。降車駅推定部２ｂは、自駅における、利用者が選択した降車駅までのキップの券種コードを取得し（ｓ１６）、ｓ３以降の処理を行う。
【００５２】
このように、この例にかかる券売機１Ａでは、利用者は、他駅のキップ購入補助プレート３０を使用した場合であっても、所望のキップを購入することができる。
【００５３】
また、上記の例では、キップ購入補助プレート３０に描かれている２次元バーコード３１を読取エリア９ａに翳すとしたが、この２次元バーコード３１はスマートフォン等の携帯端末の表示器に表示させたものであってもよいし、パンフレット等に印刷されたものであってもよい。また、券種コード、および使用駅を示す使用駅コードを含ませた情報を示すものであれば、１次元バーコードであってもよいし、光学的に読み取り可能な他のマークであってもよい。さらに、キップ購入補助プレート３０は、無線通信機能を有する非接触媒体で構成し、メモリに券種コード、および使用駅を示す使用駅コードを記憶させたものであってもよい。
【符号の説明】
【００５４】
１、１Ａ…券売機
２…制御ユニット
２ａ…乗車券テーブル記憶部
２ｂ…降車駅推定部
３…表示ユニット
３ａ…表示器
４…操作ユニット
４ａ…タッチパネル
５…発券ユニット
５ａ…発券口
６…硬貨処理ユニット
６ａ…硬貨投入口
６ｂ…釣銭硬貨受皿
７…紙幣処理ユニット
７ａ…紙幣投入口
７ｂ…紙幣放出口
８…カード処理ユニット
８ａ…カード挿入／放出口
９…光学読取ユニット
９ａ…読取エリア
１０…通信ユニット
２０…乗車券テーブル
３０（３０ａ、３０ｂ）…キップ購入補助プレート
３１（３１ａ、３１ｂ）…２次元バーコード
【図１】
2018169796.tif 000003
【図２】
2018169796.tif 000004
【図３】
2018169796.tif 000005
【図４】
2018169796.tif 000006
【図５】
2018169796.tif 000007
【図６】
2018169796.tif 000008
【図７】
2018169796.tif 000009